(57)【要約】【課題】骨端線のズレを解消し、子供の体型を良くして発育を促すことを目的とする。【解決手段】子供は骨に骨端線（成長線ともいう。）１２が存在する。骨端線１２は、骨１０Ａの端に位置し、骨１０Ａが成長する軟骨部分である。骨端線１２が消えると共に身体の成長も止まる。成長期である子供の骨格の歪みは骨端線１２のズレを招き、身体の発育に悪影響を与える可能性がある。そこで、本実施形態に係る子供向け整体施術方法は、骨１０Ａに骨端線１２がある子供を被施術者１６とし、四肢の関節部にある骨端線１２の捻じれを矯正するように、施術者１４が捻じりを加えながら被施術者１６の四肢を牽引する。【選択図】図２
2018149052.tif 000002
【特許請求の範囲】
【請求項１】
骨に骨端線がある子供を被施術者とした子供向け整体施術方法であって、
四肢の関節部にある骨端線の捻じれを矯正するように、施術者が捻じりを加えながら前記被施術者の四肢を牽引する
子供向け整体施術方法。
【請求項２】
前記施術者は、前記被施術者の四肢先端を牽引する請求項１記載の子供向け整体施術方法。
【請求項３】
前記施術者は、前記被施術者の踵骨を持ちながら、内踝と外踝を掴み足首を牽引する請求項１又は請求項２記載の子供向け整体施術方法。
【請求項４】
前記施術者は、前記被施術者の足首を外反方向へ牽引する請求項１から請求項３の何れか１項記載の子供向け施術方法。
【請求項５】
前記施術者は、前記被施術者の腓骨が張り出している場合、足を牽引すると共に固定して腓骨を押す請求項１から請求項４の何れか１項記載の子供向け施術方法。
【請求項６】
前記施術者は、前記被施術者の膝を曲げた状態から、足を牽引しながら腓骨を押さえて膝を伸ばす請求項１から請求項５の何れか１項記載の子供向け施術方法。
【請求項７】
前記施術者は、前記被施術者の膝を曲げた状態から膝眼をほぐし、関節裂隙に沿って膝をほぐす請求項１から請求項６の何れか１項記載の子供向け施術方法。
【請求項８】
前記施術者は、前記被施術者の膝の捻じれている向きを確認した後、膝に内旋又は外旋を加えながら足を牽引する請求項１から請求項７の何れか１項記載の子供向け施術方法。
【請求項９】
前記施術者は、前記被施術者の足がＯ脚の場合は外転筋をマッサージし、前記被施術者の足がＸ脚の場合は内転筋をマッサージする請求項１から請求項８の何れか１項記載の子供向け施術方法。
【請求項１０】
前記施術者は、前記被施術者の股関節に対して回旋運動と牽引を行う請求項１から請求項９の何れか１項記載の子供向け施術方法。
【請求項１１】
前記施術者は、前記被施術者の背骨を指で挟み、背骨から筋膜をはがすようにマッサージした後に、指が背骨に当たらないように圧力をかけながら背中をさする請求項１から請求項１０の何れか１項記載の子供向け施術方法。
【請求項１２】
前記施術者は、前記被施術者の肩甲骨を肩内旋させ、肩甲骨を外転させた状態にして肩甲骨を回す請求項１から請求項１１の何れか１項記載の子供向け施術方法。
【請求項１３】
前記施術者は、前記被施術者の腕を伸ばした状態で両肘が付く場合は外反方向に圧力をかけながら腕を牽引し、腕を伸ばした状態で両肘が付かない場合は肘の尺骨の骨端線や橈骨の骨端線に刺激を加えながら腕を牽引する請求項１から請求項１２の何れか１項記載の子供向け施術方法。
【発明の詳細な説明】
【技術分野】
【０００１】
本発明は、子供向け整体施術方法に関するものである。
【背景技術】
【０００２】
からだの骨格や関節の歪みやズレの矯正又は骨格筋の調整等、手足を使った手技で行う整体が広く行われている。
【０００３】
このような整体には、目的に応じて様々な施術方法があり、例えば、特許文献１には、萎縮してしまった筋肉を伸ばす整体施術方法が開示されている。
【先行技術文献】
【特許文献】
【０００４】
【特許文献１】特開２０１３−２４８３６８号公報
【発明の概要】
【発明が解決しようとする課題】
【０００５】
ここで、子供は骨に骨端線（成長線ともいう。）が存在する。骨端線は、骨の端に位置し、骨が成長する軟骨部分である。この骨端線が消えると共に身体の成長も止まる。そして、成長期である子供の骨格の歪みは骨端線のズレを招き、身体の発育に悪影響を与える可能性がある。
【０００６】
本発明は、このような事情に鑑みてなされたものであって、骨端線のズレを解消し、子供の体型を良くして発育を促す、子供向け整体施術方法を提供することを目的とする。
【課題を解決するための手段】
【０００７】
上記課題を解決するために、本発明の子供向け整体施術方法は以下の手段を採用する。
【０００８】
上記課題を解決するため、本発明の一態様である「子供向け整体施術方法」は、骨に骨端線がある子供を被施術者とした子供向け整体施術方法であって、四肢の関節部にある骨端線の捻じれを矯正するように、施術者が捻じりを加えながら前記被施術者の四肢を牽引する。
【０００９】
上記「子供向け整体施術方法」には、以下に例示するように、種々の技術的限定を加えてもよい。
【００１０】
前記施術者は、前記被施術者の四肢先端を牽引する。
【００１１】
前記施術者は、前記被施術者の踵骨を持ちながら、内踝と外踝を掴み足首を牽引する。
【００１２】
前記施術者は、前記被施術者の足首を外反方向へ牽引する。
【００１３】
前記施術者は、前記被施術者の腓骨が張り出している場合、足を牽引すると共に固定して腓骨を押す。
【００１４】
前記施術者は、前記被施術者の膝を曲げた状態から、足を牽引しながら腓骨を押さえて膝を伸ばす。
【００１５】
前記施術者は、前記被施術者の膝を曲げた状態から膝眼をほぐし、関節裂隙に沿って膝をほぐす。
【００１６】
前記施術者は、前記被施術者の膝の捻じれている向きを確認した後、膝に内旋又は外旋を加えながら足を牽引する。
【００１７】
前記施術者は、前記被施術者の足がＯ脚の場合は外転筋をマッサージし、前記被施術者の足がＸ脚の場合は内転筋をマッサージする。
【００１８】
前記施術者は、前記被施術者の股関節に対して回旋運動と牽引を行う。
【００１９】
前記施術者は、前記被施術者の背骨を指で挟み、背骨から筋膜をはがすようにマッサージした後に、指が背骨に当たらないように圧力をかけながら背中をさする。
【００２０】
前記施術者は、前記被施術者の肩甲骨を肩内旋させ、肩甲骨を外転させた状態にして肩甲骨を回す。
【００２１】
前記施術者は、前記被施術者の腕を伸ばした状態で両肘が付く場合は外反方向に圧力をかけながら腕を牽引し、腕を伸ばした状態で両肘が付かない場合は肘の尺骨の骨端線や橈骨の骨端線に刺激を加えながら腕を牽引する。
【発明の効果】
【００２２】
本発明によれば、骨端線のズレを解消し、子供の体型を良くして発育を促す、という効果を有する。
【図面の簡単な説明】
【００２３】
【図１】関節部における骨の端部を示す模式図である。
【図２】被施術者の足の指に対する本発明の実施形態に係る施術を示す図である。
【図３】被施術者の踵に対する本発明の実施形態に係る施術を示す図である。
【図４】被施術者の腓骨に対する本発明の実施形態に係る施術を示す図である。
【図５】被施術者の腕に対する本発明の実施形態に係る施術を示す図である。
【発明を実施するための形態】
【００２４】
以下に、本発明に係る子供向け整体施術方法の一実施形態について、図面を参照して説明する。
【００２５】
［１．子供向け整体施術方法の概要］
図１は、関節部における骨の端部を示す模式図である。図１（Ａ）は子供（成長期である１５歳ぐらいまで）の骨１０Ａの端部を示す模式図であり、図１（Ｂ）は大人の骨１０Ｂの端部を示す模式図である。
【００２６】
図１（Ａ）に示されるように骨端線１２は、骨１０Ａの端に位置し、骨１０Ａが成長する軟骨部分である。そして、図１（Ｂ）に示される大人の骨１０Ｂのように骨端線１２が消えると共に身体の成長も止まる。なお、図１（Ｂ）における破線１３は、消えた骨端線１２の位置に相当する。
【００２７】
骨端線１２は、成長線ともいわれ、成長期の間だけに四肢の関節部等にある、骨１０Ａの成長ポイントである。換言すると、骨端線１２は、骨１０Ａの破壊と再生が繰り替えされるポイントである。より具体的には、成長期は、骨端線１２における骨芽細胞の働きが破骨細胞の働きを上回っているために、骨１０Ａが成長して身長が伸びる。
【００２８】
このように、骨端線１２は、骨格の形成において重要な役割を担う部分である。そして、成長期における身体の歪み、すなわち成長期における骨格の歪みは骨端線１２のズレを生じさせ、身体の発育に悪影響を与える可能性がある。
【００２９】
そこで、本実施形態に係る子供向け整体施術方法は、骨１０Ａに骨端線１２がある子供を被施術者とし、四肢の関節部にある骨端線１２の捻じれを矯正するように、施術者が捻じりを加えながら被施術者の四肢を牽引する。すなわち、子供向け整体施術方法は、骨端線１２のズレを解消、換言すると、骨端線１２の間隔Ｌを正すことによって、子供の体型を良くして発育を促す。
【００３０】
以下では、本実施形態に係る子供向け整体施術方法で行う身体の各部位に対するより具体的な施術（調整ともいう。）を、図２から図５も参照して説明する。図２から図５は、施術者１４が被施術者１６に対して行う子供向け整体施術方法の具体例である。
【００３１】
［２．手足の指に対する施術］
手足の指に対する施術では、被施術者１６の手足の指が真っ直ぐ伸びるように促すことを目的とする。また、手足の指に対する施術では、神経系統の発達を促すことを目的とする。人の神経系統の発達は約５歳までに約８０％発達し、１２歳までに約１００％発達するといわれている。このため、子供に対して、四肢先端である手の指又は足の指の神経に刺激を加えることは、神経系統の発達に効果的である。
【００３２】
そこで、施術者１４は、手技として、被施術者１６の四肢先端である手の指先又は足の指先を持ち、牽引する。図２は、被施術者１６の足の指に対する施術の一例を示す図である。
【００３３】
被施術者１６の足先に対しては図２に示すように、施術者１４は、被施術者１６の足首を押さえて足の指を軽く持ち上げながら牽引することで、骨端線１２へ刺激を与える。更に施術者１４は、被施術者１６の足裏の内側アーチをほぐすことで、偏平足を予防する。また、施術者１４は、被施術者１６の足裏を軽く叩くことで刺激を加え、神経系統の発達を促す。
【００３４】
被施術者１６の手の指に対しては上述した足の指と同じく、施術者１４は、被施術者１６の手の指を軽く持ち上げながら牽引することで、骨端線１２へ刺激を与え、又手掌に刺激を加え神経系統の発達を促す。
【００３５】
［３．足首とくるぶしに対する施術］
足首とくるぶしに対する施術では、足首とくるぶしを調整することによってＸ脚又はＯ脚の予防や膝下のねじれの解消を目的とする。
【００３６】
そこで、施術者１４は、手技として、図３に示すように、被施術者１６の踵骨を持ちながら、内踝と外踝を掴み足首を軽く牽引することで、骨端線１２へ刺激を与える。さらに、施術者１４は、被施術者１６の足首を外反方向へ牽引する。なお、内踝より外踝の方が長いと、足先が内に向き易かったり、捻挫になりやすいため、施術者１４は、被施術者１６の足首を外反方向へ牽引する際、内踝に刺激を与えるイメージで行う。
【００３７】
［４．腓骨に対する施術］
腓骨に対する施術では、骨の張り出しによる膝下の内旋やねじれの予防又は解消を目的とする。
【００３８】
そこで、施術者１４は、手技として、被施術者１６の腓骨が張り出している場合、足を軽く牽引すると共に固定して腓骨を軽く押す。また、施術者１４は、被施術者１６の膝を曲げた状態から、足を軽く牽引しながら腓骨を押さえて膝を伸ばす。
【００３９】
［５．膝に対する施術］
膝に対する施術では、膝のズレを解消し、身長の成長促進や真っ直ぐな脚の成長を促すことを目的とする。
【００４０】
そこで、施術者１４は、手技として、被施術者１６の膝を曲げた状態から膝眼をほぐし、関節裂隙に沿って膝をほぐす。また、施術者１４は、被施術者１６の膝の捻じれている向きを確認した後、図４に示すように、膝に内旋又は外旋を加えながら足を牽引する。これにより、膝の骨端線１２の調整や刺激が行われることとなる。
【００４１】
［６．内転筋・外転筋に対する施術］
内転筋や外転筋は、筋肉が硬いために膝を引っ張る（緊張）ため、緊張が過度になり過ぎると骨の成長を阻害し、足をＯ脚やＸ脚にする可能性がある。このため、内転筋・外転筋に対する施術では、内転筋や外転筋の緊張による、骨の成長の阻害を解消することを目的とする。
【００４２】
そこで、施術者１４は、被施術者１６の足がＯ脚の場合は主として外転筋をマッサージし、被施術者１６の足がＸ脚の場合は主として内転筋をマッサージする。なお、外転筋に対して施術を行う際、骨が近いのでマッサージにおいて圧力をかけすぎないように施術者１４は注意を要する。
【００４３】
［７．股関節又は鼠経部に対する施術］
股関節又は鼠経部に対する施術では、股関節を緩め、可動域を広げることにより、大腿骨の内旋を解消することを目的とする。
【００４４】
そこで、施術者１４は、手技として、被施術者１６の股関節に対して軽い回旋運動と牽引を行う。これに加えて、施術者１４は、被施術者１６に対して、大腿四頭筋や腸腰筋に対するストレッチを行ってもよい。
【００４５】
［８．背中や脊柱起立筋に対する施術］
背中に対する施術は、脊柱起立筋の緊張による骨（身長）の成長が阻害されることを防止することを目的とする。
【００４６】
そこで、施術者１４は、手技として、被施術者１６の背骨を指で挟み、背骨から筋膜をはがすようにマッサージした後に、指が背骨に当たらないように軽く圧力をかけながら背中をさする。
【００４７】
［９．肩甲骨に対する施術］
肩甲骨が動かなくなると、猫背や脊柱起立筋が硬くなる可能性がある。このため、肩甲骨に対する施術は、肩甲骨の可動域を広げることを目的とする。
【００４８】
そこで、施術者１４は、手技として、被施術者１６の肩甲骨を肩内旋させ、肩甲骨を外転させた状態にして肩甲骨を回す。
【００４９】
［１０．腕に対する施術］
腕に対する施術は、肘や肩付近の骨端線１２に刺激と調整を行い、真っ直ぐで長い腕への成長を促すことを目的とする。
【００５０】
そこで、施術者１４は、手技として、被施術者１６の腕を伸ばした状態で両肘が付く場合には、肘の内反が強いために図５に示すように外反方向に軽く圧力をかけながら軽く腕を牽引する。一方、施術者１４の腕を伸ばした状態で両肘が付かない場合には、施術者１４は、肘の尺骨の骨端線１２部分や橈骨の骨端線１２部分に刺激を加えながら軽く腕を牽引する。
【００５１】
以上説明したように、本実施形態に係る子供向け整体施術方法は、骨１０Ａに骨端線１２がある子供を被施術者１６とし、四肢の関節部にある骨端線１２の捻じれを矯正するように、施術者１４が捻じりを加えながら被施術者１６の四肢を牽引する。
【００５２】
従って、本実施形態に係る子供向け整体施術方法は、骨端線のズレを解消し、子供の体型を良くして発育を促すことができる。
【００５３】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【符号の説明】
【００５４】
１０Ａ  骨
１２    骨端線
１４    施術者
１６    被施術者
【図１】
2018149052.tif 000003
【図２】
2018149052.tif 000004
【図３】
2018149052.tif 000005
【図４】
2018149052.tif 000006
【図５】
2018149052.tif 000007